(57)【特許請求の範囲】
【請求項１】
断面半円形状の溝と隣接する溝同士の間である断面尖頭状の突条とを交互に配列して成る凹凸群を有する凹凸成形品を対象とし、この凹凸成形品の凹凸群を加圧成形する装置であって、
個々の溝に対応した溝形成部を有する成形型を備え、
成形型が、個々の溝形成部毎に分割した複数の分割型から成り、
成形型の周囲に配置して各分割型を集合状態に拘束するスリーブを備え、
各分割型のうちの隣接する少なくとも２つの分割型が、加圧方向に対して横方法の分力を生じさせる傾斜面同士で接触し、
各分割型が、溝形成部から所定長さの先端側領域で互いに接触すると共に、それ以外の領域では先端側領域の厚さよりも小さい厚さにして互いに離間していることを特徴とする凹凸成形品の成形装置。
【発明の詳細な説明】
【技術分野】
【０００１】
本発明は、例えば、半導体やモータ等の電子機器を冷却するための冷却器として使用される成形品であって、冷却効率を高めるための凹凸群を有する凹凸成形品を加圧成形するのに用いられる成形装置に関するものである。
【背景技術】
【０００２】
この種の従来技術としては、例えば、特許文献１に記載されたものがある。特許文献１に記載の冷却構造は、インバータに適用したものである。インバータは、冷却流体を流通させるウォータージャケットを備え、このウォータージャケット上に、バスバーや半田層などを介して半導体チップを配置した構成である。ウォータージャケットは、その内面の一部に渦流れ生成部を形成する冷却器を備えている。
【０００３】
冷却器は、銅製若しくは銅合金製の板部材であって、その中央領域には、渦流れ生成部として、断面半円形状の溝と断面尖頭状の突条とを交互に配列して成る凹凸群を有している。この凹凸群は、断面半円形状の溝を互いに平行に且つ連続的に配列したもので、隣接する溝同士の間が断面尖頭状の突条になっていて、突条が冷却フィンとして機能する。
【０００４】
また、特許文献１には、上記の凹凸群を有する冷却器の成形装置が記載されている。その成形装置は、凹凸群の反転形状である形成部、すなわち断面半円形状の突条を互いに平行に且つ連続的に配置して成る形成部を一体的に有する可動の上型と、冷却器の材料を載置する固定の下型とを備え、上型及び下型との協働により、冷却器の材料に対して冷間鍛造により凹凸群を加圧成形するものである。
【先行技術文献】
【特許文献】
【０００５】
【特許文献１】ＷＯ２０１３−１５３９１４号公報
【発明の概要】
【発明が解決しようとする課題】
【０００６】
しかしながら、上記したような凹凸成形品（冷却器）を加圧成形する場合、従来の成形装置にあっては、凹凸群の反転形状である形成部を一体的に有する成形型（上型）を使用していたため、高い成形圧力を受けると、形成部における突条同士の間（谷の部分）に引張応力がかかり、これにより、上型に割れが生じやすいという問題点があることから、このような問題点を解決することが課題であった。
【０００７】
本発明は、上記従来の課題に着目して成されたもので、凹凸群を有する凹凸成形品の成形装置であって、成形型に生じる引張応力を起因とする割れを解消して、成形型の寿命を向上させることができる凹凸成形品の成形装置を提供することを目的としている。
【課題を解決するための手段】
【０００８】
本発明に係わる凹凸成形品の成形装置は、断面半円形状の溝と隣接する溝同士の間である断面尖頭状の突条とを交互に配列して成る凹凸群を有する凹凸成形品を対象とし、この凹凸成形品の凹凸群を加圧成形する装置である。そして、成形装置は、個々の溝に対応した形状の溝形成部を有する成形型を備え、成形型が、個々の溝形成部毎に分割した複数の分割型から成り、成形型の周囲に配置して各分割型を集合状態に拘束するスリーブを備え、各分割型のうちの隣接する少なくとも２つの分割型が、加圧方向に対して加圧方向に対して横方法の分力を生じさせる傾斜面同士で接触し、各分割型が、溝形成部から所定長さの先端側領域で互いに接触すると共に、それ以外の領域では先端側領域の厚さよりも小さい厚さにして互いに離間している構成としており、上記構成をもって従来の課題を解決するための手段としている。
【発明の効果】
【０００９】
本発明に係わる凹凸成形品の成形装置は、上記構成を採用したことから、凹凸群を加圧成形する際に、各分割型の溝形成部で断面半円形状の溝を形成すると共に、隣接する分割型同士で隣接する溝同士の間である断面尖頭状の突条を形成することとなる。これにより、成形装置では、各分割型の溝形成部に圧縮応力だけがかかり、成形型に引張応力が生じる部分がなくなるので、溝形成部を造形する自由度が高まると共に、成形型に生じる引張応力を起因とする割れを根本的に解消して、成形型の寿命を向上させることができる。
また、上記の成形装置は、スリーブによる拘束と傾斜面で生じる横方向の分力とによって分割型同士を密着させ、隣接する分割型同士の間でバリを生じさせることなく、断面尖頭条の突条を良好に形成することができる。
さらに、上記の成形装置は、各分割型が、溝形成部から所定長さの先端側領域で互いに接触し、それ以外の領域では先端側領域の厚さよりも小さい厚さにして互いに離間しているので、個々の分割型の厚さに寸法誤差が有っても、分割型の先端部同士を密着させることができる。
【図面の簡単な説明】
【００１０】
【図１】凹凸成形品を構成要素とするインバータを説明する断面図（Ａ）、及び凹凸成形品である冷却器を説明する斜視図（Ｂ）である。
【図２】成形装置の一実施形態において、成形開始時の状態を示す部分斜視図（Ａ）、及び成型完了時の状態を示す部分斜視図（Ｂ）である。
【図３】成形型及び凹凸成形品の成形前の状態を説明する部分断面図である。
【図４】成形型及び凹凸成形品の成形後の状態を説明する部分断面図である。
【発明を実施するための形態】
【００１１】
図１（Ａ）に示すインバータ５０は、凹凸成形品（冷却器）１を構成要素とするものであって、ウォータージャケット５１上に、冷却器（凹凸成形品１）、電気的な絶縁材５２、銅等で形成されたバスバー５３、半田層５４、銅・モリブデン等で形成された熱緩衝プレート５５、半田層５６、及び半導体チップ５７を順に積層した構成になっている。
【００１２】
ウォータージャケット５１は、上側に開放された筐体であって、相対向する側壁に、冷却流体の流入口５１ａ及び流出口５１ｂを有し、その内部において、図中の矢印で示すように、一方向に冷却用流体を流通させる。凹凸成形品（冷却器）１は、銅製又は銅合金製の矩形状の板部材であって、ウォータージャケット５１の上側を閉塞するように配置してある。
【００１３】
凹凸成形品（冷却器）１は、図１（Ｂ）に示すように、その中央の矩形領域に、渦流れ生成部として、断面半円形状の溝２と断面尖頭状の突条３とを交互に配列して成る凹凸群Ｐを有している。凹凸群Ｐの外側は、平坦な周縁部Ｑである。この凹凸群Ｐは、断面半円形状の溝２を互いに平行に且つ連続的に配列したもので、隣接する溝２，２同士の間が断面尖頭状の突条３である。この凹凸成形品１は、溝２及び突条３の配列が冷却流体の流通方向になる向きにして、ウォータージャケット５１の上側に取り付けられ、突条３が冷却フィンとして機能して、冷却用流体の渦流れを生じさせる。
【００１４】
ここで、上記のように冷却器として用いられる凹凸成形品１は、冷却流体の境界層の攪拌性能を高めるために、凹凸群Ｐにおける突条３の頭部が極力鋭角なエッジ（シャープエッジ）になっていることが望ましい。ところが、このような凹凸群Ｐを冷間鍛造で加圧成形する場合、凹凸群Ｐの反転形状である形成部を一体的に有する成形型では、高い成形圧力により、突条３の形成部（谷の部分）に引張応力がかかって割れが生じやすくなる。このため、形成部を一体的に有する成形型では、割れを防止するためには、突条３の攪拌性能に反して形成部（谷の部分）のＲを大きくせざるを得ない。
【００１５】
これに対して、この実施形態における凹凸成形品１の成形装置は、図２及び図３に示すように、個々の溝２に対応した断面半円形状の溝形成部４を有する成形型５を備え、その成形型５が、個々の溝形成部４毎に分割した複数の分割型６から成る構成である。これにより、成形型５は、隣接する分割型６同士の間が、断面先頭状の突条３の形成部分（谷の部分）Ｖになり、同形成部分のＲが実質的にゼロになる。
【００１６】
成形装置は、図２（Ａ）に示すように、プレスマシンのスライド側（可動側：図１中で上側）に、上型ホルダ７と、上記の分割型６から成る成形型５と、成形型５の周囲に配置して各分割型６を集合状態に拘束するスリーブ８とを備えている。また、成形装置は、プレスマシンのボルスタ側（固定側：図１中で下側）に、下型ホルダ９と、凹凸成形品１の素材１Ａを載置する固定型１０とを備えている。
【００１７】
スライドは、例えば、弾性体やリテーナを介してスリーブ８を吊持し、下降時には成形型５よりもスリーブ８が先行するようになっている。スリーブ８は、凹凸成形品１の周縁部Ｑに対応した角筒形の型部材であり、その中空部に各分割型６を収容し、各分割型６を集合状態に拘束している。また、各分割型６は、これらを配列方向に貫通するリテーナ（図示せず）等によって上型ホルダ７に連結してあり、スリーブ８から脱落しないように保持されている。
【００１８】
さらに、各分割型６は、板状の部材から成るものであって、図３に示すように、その下辺に、断面半円形状の溝形成部４を有している。そして、成形装置は、各分割型６のうちの隣接する少なくとも２つの分割型６，６が、加圧方向に対して傾斜した傾斜面６Ａ，６Ｂ同士で接触している。
【００１９】
さらに、成形装置は、各分割型６が、溝形成部４から所定長さの先端側領域Ａで互いに接触すると共に、それ以外の領域Ｂで互いに離間（隙間Ｓ）している。つまり、各分割型４は、先端側領域Ａの厚さＴ１に対して、それ以外となる基端側の領域Ｂの厚さＴ２が小さいものとなっている。
【００２０】
上記構成を備えた凹凸成形品１の成形装置は、図２（Ａ）及び図３に示すように、固定型１０に素材１Ａを載置してスライドを下降させる。この際、成形装置は、図３中の矢印Ａ１及び上段の仮想線で示すように、スリーブ８が先行して素材１Ａの周縁部Ｑに当接し、固定型１０との間で素材１Ａを押圧固定する。
【００２１】
そして、成形装置は、スライドが下死点に達するまでの間に、スリーブ８を吊持する弾性体を圧縮しつつ成形型５が下降し続け、図２（Ｂ）、図３中の矢印Ａ１及び下段の仮想線で示すように、成形型５の各分割型６が下死点に到達する。これにより、成形装置は、素材１Ａに溝２及び突条３を形成し、図４に示すように、凹凸群Ｐを有する凹凸成形品１の成形を完了する。
【００２２】
このように、成形装置は、成形型５が、個々の溝形成部４毎に分割した複数の分割型６から成るものとしたので、凹凸群Ｐを加圧成形する際に、各分割型６の溝形成部４で断面半円形状の溝２を形成すると共に、隣接する分割型６同士の間で断面尖頭状の突条３を形成する。
【００２３】
このため、成形装置は、各分割型６の溝形成部４に圧縮応力だけがかかり、突条３の形成部分（谷の部分）Ｖには、その形成部分Ｖが別体の分割型６同士で形成されているので、同形成部分Ｂに引張応力が生じることがない。これにより、成形装置では、成形型５に引張応力が生じる部分自体がなくなるので、成形型５に生じる引張応力を起因とする割れを根本的に解消して、成形型５の寿命を向上させることができる。
【００２４】
また、上記の成形装置は、成形型５に引張応力が生じる部分がなくなるので、分割型６の溝形成部４を造形する自由度が高いものとなる。このため、成形装置は、例えば、冷却器の渦流れ生成部に好適な凹凸群Pを形成し得る。すなわち、成形装置で成形した凹凸成形品１の凹凸群Pは、断面半円形状の溝２を互いに平行に且つ連続的に配列して成ると共に、隣接する溝２同士の間が断面尖頭状の突条３になっていて、突条３の頭部が鋭角なエッジ（シャープエッジ）になる。したがって、凹凸成形品１を図１に示すインバータ５０の冷却器に適用すれば、冷却流体の境界層の攪拌性能が極めて高く、冷却器の冷却効率の向上や小型化に貢献することができる。
【００２５】
さらに、上記の成形装置は、成形型５の周囲に配置して各分割型６を集合状態に拘束するスリーブ８を備え、各分割型６のうちの隣接する少なくとも２つの分割型６が、加圧方向に対して傾斜した傾斜面６Ａ，６Ｂ同士で接触しているので、素材１Ａを加圧する際に、傾斜面６Ａ，６Ｂがくさびのように作用する。つまり、成形装置は、スリーブ８による拘束と傾斜面６Ａ，６Ｂで生じる横方向の分力とによって分割型６同士を密着させ、隣接する分割型６同士の間でバリを生じさせることなく、断面尖頭条の突条３を良好に形成することができる。
【００２６】
さらに、上記の成形装置は、各分割型６が、溝形成部４から所定長さの先端側領域Ａで互いに接触すると共に、それ以外の基端側領域Ｂで互いに離間しているので、個々の分割型６の厚さに寸法誤差が有っても、分割型６の先端部同士を密着させることができる。これにより、成形装置は、成形型５として、凹凸群Ｐの反転形状を維持することができ、隣接する分割型６同士の間でバリを生じさせることもなく、凹凸群Ｐを精度良く形成することができる。
【００２７】
なお、本発明１の凹凸成形品の成形装置は、具体的な構成が上記実施形態に限定されるものではなく、本発明の要旨を逸脱しない範囲で適宜変更することができる。例えば、断面半円形状以外の溝や、断面尖頭状以外の突条から成る凹凸群の成形も可能であるし、成形型５において、傾斜面を有する分割型６の組み合わせを複数箇所に設けても良い。
【符号の説明】
【００２８】
Ｐ  凹凸群
１  凹凸成形品
２  溝
３  突条
４  溝形成部
５  成形型
６  分割型
６Ａ，６Ｂ  傾斜面
８  スリーブ
【図１】
0006344109.tif 000002
【図２】
0006344109.tif 000003
【図３】
0006344109.tif 000004
【図４】
0006344109.tif 000005